(57)【要約】【課題】従来よりも簡易な装置構成で所定パターンの補助光を投光することのできる補助光投光装置を提供する。【解決手段】補助光光源１１と、補助光光源１１からの光を反射しつつ、回動するミラー１３と、補助光光源１１を点滅させつつ、点滅における点灯時間および／または消灯時間を変えることで、補助光光源１１からの光をミラー１３に反射させた光のパターンの幅を変更する制御部２３と、を有することを特徴とする補助光投光装置１。【選択図】図１
2014115318.tif 000002
【特許請求の範囲】
【請求項１】
補助光光源と、
前記補助光光源からの光を反射しつつ、回動するミラーと、
前記補助光光源を点滅させつつ点滅における点灯時間および／または消灯時間を変えて前記補助光光源からの光を前記ミラーに反射させた光のパターンの幅を変更する制御部と、
を有することを特徴とする補助光投光装置。
【請求項２】
前記制御部は、カメラに装着されたレンズの焦点距離が長くなると前記補助光光源の前記点灯時間および／または消灯時間を短くし、前記レンズの焦点距離が短くなると前記補助光光源の前記点灯時間および／または消灯時間を長くするように前記補助光光源を制御することを特徴とする請求項１記載の補助光投光装置。
【請求項３】
前記ミラーは、前記レンズの焦点距離にかかわらず一定の角度で回動することを特徴とする請求項２記載の補助光投光装置。
【請求項４】
前記制御部は、前記補助光光源の前記点灯時間および／または消灯時間を非周期的に変化させることを特徴とする請求項１〜３のいずれか一つに記載の補助光投光装置。
【請求項５】
補助光光源と、前記補助光光源からの光を反射しつつ、回動するミラーと、を有する補助光投光装置を用いて、
前記補助光光源を点滅させつつ点滅における点灯時間および／または消灯時間を変えて前記補助光光源からの光を前記ミラーに反射させた光のパターンの幅を変更することを特徴とする補助光投光方法。
【請求項６】
カメラに装着されたレンズの焦点距離が長くなると前記補助光光源の前記点灯時間および／または消灯時間を短くし、前記レンズの焦点距離が短くなると前記補助光光源の前記点灯時間および／または消灯時間を長くするように前記補助光光源を制御することを特徴とする請求項５記載の補助光投光方法。
【請求項７】
前記ミラーは、前記レンズの焦点距離にかかわらず一定の角度で回動させることを特徴とする請求項６記載の補助光投光方法。
【請求項８】
前記補助光光源の前記点灯時間および／または消灯時間を非周期的に変化させることを特徴とする請求項５〜７のいずれか一つに記載の補助光投光方法。
【発明の詳細な説明】
【技術分野】
【０００１】
本発明は、補助光投光装置および補助光投光方法に関する。
【背景技術】
【０００２】
補助光投光装置は、オートフォーカス機能を有するカメラに搭載されており、暗い場所やコントラストの低い被写体に対して光のパターンを投光してオートフォーカス（自動合焦）しやすくする。なお、補助光はＡＦ補助光と称されることもある。
【０００３】
このような光のパターンを投光する従来の補助光投光装置としては、オートフォーカス動作に必要な焦点検出専用ラインセンサの画素の並び方向に対して複数回横断するように走査されるか、またはラインセンサの並び方向に沿って点滅しながら走査されるように補助光を投光する技術がある（特許文献１）。
【０００４】
また、光を反射する複数のミラーを有して、焦点検出用パターンを、この複数のミラーの傾き角度を制御することで形成する技術がある。この技術では、複数のミラーの傾きを個別に変更、制御することでカメラに装着された撮影レンズの焦点距離に応じて補助光によるパターンを変更可能となっている（特許文献２）。
【先行技術文献】
【特許文献】
【０００５】
【特許文献１】特開２００５−０１７９２１号公報
【特許文献２】特開２００４−１６５８４１号公報
【発明の概要】
【発明が解決しようとする課題】
【０００６】
しかしながら、特許文献１の技術では、補助光を走査するために、発光素子が設けられている可動筒全体の角度を変更しているため、全体を動かすために動力の強い、消費電力の大きなモーターが必要となる。
【０００７】
また、特許文献２の技術では、様々なパターンを投光できるが、複数のミラーの角度を個別に変更する必要があるため、それぞれのミラー角度を個別に制御するための機構がミラーの数だけ必要になる。また、それら複数の機構を個別に制御する必要もある。
【０００８】
このようにこれらの従来技術は、動力の強いモーターが必要であったり、複雑な装置が必要であったりして、装置構成が大型化または複雑化してしまい、コストアップにつながるという問題があった。
【０００９】
本発明の目的は、従来よりも簡易な装置構成で補助光パターンを投光することのできる補助光投光装置およびその方法を提供する。
【課題を解決するための手段】
【００１０】
上記目的を達成するために本発明は、補助光光源と、前記補助光光源からの光を反射しつつ、回動するミラーと、前記補助光光源を点滅させつつ点滅における点灯時間および／または消灯時間を変えて前記補助光光源からの光を前記ミラーに反射させた光のパターンの幅を変更する制御部と、を有することを特徴とする補助光投光装置である。
【００１１】
また、上記目的を達成するために本発明は、補助光光源と、前記補助光光源からの光を反射しつつ、回動するミラーと、を有する補助光投光装置を用いて、前記補助光光源を点滅させつつ点滅における点灯時間および／または消灯時間を変えて前記補助光光源からの光を前記ミラーに反射させた光のパターンの幅を変更することを特徴とする補助光投光方法である。
【発明の効果】
【００１２】
本発明によれば、補助光光源からの光をミラーの回動によって反射させ、投光される光のパターンは、補助光光源からの光を点滅させつつ、その点滅における点灯時間および／または消灯時間を変えることで作るため、装置構成が従来よりも簡易なものになる。したがって、従来よりも装置コストを削減することができる。また、小型、軽量化にも寄与することができる。
【図面の簡単な説明】
【００１３】
【図１】本発明を適用した補助光投光装置を搭載したカメラの構成を説明するためブロック図である。
【図２】補助光光源とミラーの位置関係を説明するための説明図である。
【図３】ＡＰＳ−Ｃサイズの撮像素子２１で、３５ｍｍレンズを使用し、２ｍ先にある平面の被写体に補助光を投光した場合の光のパターンを示す図である。
【図４】ＡＰＳ−Ｃサイズの撮像素子２１で、２００ｍｍレンズを使用し、２ｍ先にある平面の被写体に補助光を投光した場合の光のパターンを示す図である。
【図５】ＡＰＳ−Ｃサイズの撮像素子２１で、２００ｍｍレンズを使用し、２ｍ先にある平面の被写体に補助光の点滅の点灯時間を変えて投光した場合の光のパターンを示す図である。
【発明を実施するための形態】
【００１４】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる。
【００１５】
図１は、本発明を適用した補助光投光装置を搭載したカメラの構成を説明するためブロック図である。
【００１６】
本実施形態で例示するカメラ２は、レンズ交換式のミラーレスカメラであり、カメラ本体２０にレンズ３が装着されている。
【００１７】
カメラ本体２０内には撮像素子２１、画像処理部２２、制御部２３を有する。また、レンズ３内には、複数のレンズからなるレンズ群３１と、レンズ群３１の位置を変えるためのモーター３２、レンズ内各部を制御するレンズ制御部３３を有する。
【００１８】
そして、このカメラ本体２０に補助光投光装置１が搭載されている。図においては、カメラ本体２０の上部に補助光投光装置１を乗せた構造として示しているが、カメラ本体２０の筐体内に組み込まれていてもよい。また、図示しないが、カメラ本体２０に別途取り付けられるストロボに組み込まれて提供されたり、別途補助光投光装置１単独のアクセサリーとして提供されたりしてもよい。この場合、ストロボやアクセサリーとカメラ本体２０とはアクセサリシューやアクセサリー信号端子を介して制御信号のやり取りが行われる。
【００１９】
補助光投光装置１は、補助光光源１１、補助光光源１１からの光を所定の幅に絞るスリット１２（図２参照）、補助光光源１１からの光を所定の方向に走査するミラー１３、ミラー１３を回動させるアクチュエーター１４、およびアクチュエーター１４を駆動するためのドライバー１５を有する。
【００２０】
図２は、補助光光源とミラーの位置関係を説明するための説明図である。
【００２１】
図２は、カメラ２を上から見た概略構成を示しており、補助光光源１１からの光がミラー１３の側方から入り、ミラー１３が水平に回動することで、撮像素子２１の水平方向に光（図中の矢印）が走査されるようになっている。また、補助光光源１１とミラー１３の間にはスリット１２が配置されている。
【００２２】
なお、補助光光源１１とミラー１３の配置は、これに限らず、たとえば、ミラー１３の下方から光が入り、光に対してほぼ４５度ミラーが傾いて配置されて、ミラー１３を水平方向に回動するようにしてもよい。そのほかにも、ミラー１３が回動することで補助光光源１１からの光が撮像素子２１の水平方向に走査されるように配置されていればどのような配置であってもよい。また、図２中のαは、ミラー１３を回動させる角度範囲であり、詳しくは後述するがこの角度αによって、投光される光のパターンの水平方向の範囲が決まることになる。
【００２３】
以下各部について説明する。
【００２４】
補助光光源１１は、制御部２３からの指令により発光する。この補助光光源１１としてはたとえば、ＬＥＤやレーザダイオードなどが使用できる。
【００２５】
スリット１２は、補助光光源１１からの光が拡散光であるため、これを一定の幅と長さの筋状の光に制限してミラー１３へ投光させるためのものである。これは、後述するように、本実施形態では、補助光パターンとしてストライプパターンを投光するためである。なお、スリット１２に代えて、補助光光源１１からの拡散光を筋状の光に変換するレンズ（不図示）であってもよい。また、レンズとスリットを共に用いて光の筋の大きさを一定の幅と長さにするようにしてもよい。
【００２６】
ミラー１３はアクチュエーター１４によって、後述する回動角度範囲内において往復回動する。
【００２７】
アクチュエーター１４は、たとえば、ボイスコイルモーター（ＶＣＭ）、圧電素子、ステッピグモーターなどが使用可能である。これらのアクチュエーター１４は、後述するように所定の回動角度、回動速度でミラー１３を回動させる動力となる。本実施形態では、アクチュエーター１４は、ミラー１枚を回動させるだけでよいので小型軽量のものを使用することができる。
【００２８】
ドライバー１５は制御部２３からのミラー駆動信号に応じて、アクチュエーター１４を動作させるために必要な電圧および電流をアクチュエーター１４に供給する。たとえば、アクチュエーター１４としてＶＣＭを用いた場合は、制御部２３からの指令によりドライバー１５がミラー１３を回動させるために必要な電流をＶＣＭのボイスコイルに供給する。また、アクチュエーター１４として圧電素子を用いた場合は、ドライバー１５から電圧が供給される。また、ステッピングモーターの場合には、電流がドライバー１５からステッピングモーターに与えられることになる。
【００２９】
カメラ本体２０内の制御部２３は、たとえばＣＰＵであり、ここでは、カメラ本体２０の動作とともに、補助光投光装置１の制御も行っている。なお、補助光投光装置１がストロボやアクセサリー（これらすべてを含めてアクセサリーなどと称する）として提供される場合には、それらの内部に補助光投光装置専用の制御部（ＣＰＵ）を設けることにしてもよいし、あらかじめこのようなアクセサリーなどが取り付けられることを想定して、本実施形態のようにカメラの制御部が兼ねるようにしてもよい。
【００３０】
この制御部２３は、補助光光源１１を点滅するように制御しており、これによりミラー１３によって走査された光のパターン（明暗のストライプパターン）となるようにしている。また、制御部２３は、補助光光源１１の点滅中における一回一回のオン時間（点灯時間）を変えることで、レンズ制御部３３から焦点距離の信号に応じて、ストライパターンの明暗の幅を変えている。具体的には、レンズ３の焦点距離が長くなると補助光光源１１の点滅１回のオン（発光）時間を短くするように制御し、焦点距離が短くなると補助光光源１１の点滅１回のオン（発光）時間を長くするように制御する。オフ時間については、常に一定でもよいし、同時に点滅中における一回一回のオフ時間を変えてもよい。
【００３１】
ここでレンズ３内のレンズ群３１としては、少なくとも合焦のためのフォーカスレンズを有する。また、ズームレンズの場合はさらに焦点距離を変えるためのズームレンズ群を有する。このようなレンズ群の構成については通常のものであるので詳細な説明は省略する。そして単焦点レンズの場合には、レンズ制御部３３（たとえばＣＰＵ）は、変更された焦点距離に応じた信号をカメラ本体２０の制御部２３に送信する。また、ズームレンズの場合、レンズ制御部３３（たとえばＣＰＵ）は変更された焦点距離（現在の焦点距離）に応じた信号をカメラ本体２０の制御部２３に送信する。
【００３２】
また、レンズ制御部３３は、制御部２３からの信号により合焦動作のために、モーター３２を制御してフォーカスレンズを移動させる。
【００３３】
ここで、補助光投光装置１を使用したカメラ２全体の動作を説明する。なお、カメラ２による撮影動作は通常のものであるので、撮影動作についての説明は省略し、ここでは補助光投光装置１に関連する動作のみ説明する。
【００３４】
被写体からレンズ３を通して入る光は、撮像素子２１にて電気信号に変換されて画像処理部２２でデジタルデータとなる。合焦動作においては、たとえばコントラストＡＦの場合、フォーカスレンズを駆動して、撮像素子２１に入ってきた光による画像のコントラストの高くなった位置を合焦点（いわゆるピントがあった点）とする。
【００３５】
このオートフォーカス動作時に、カメラ２は撮影する被写体が暗いと判断した場合、または、コントラストが低く合焦できないと判断した場合、制御部２３が補助光投光装置１を動作させて、光のパターンを投光することになる。そして被写体から戻ってくるパターン化された光がボケないようにフォーカスレンズを駆動してオートフォーカス動作が行われる。その後、通常はピントがあった状態でシャッターが切られれば撮影が行われる。
【００３６】
次に制御部２３による補助光投光装置１の制御について説明する。
【００３７】
制御部２３は、レンズ制御部３３から現在のレンズ３の焦点距離情報を受ける。そして、制御部２３はレンズ３の焦点距離情報からカメラ２の撮像素子２１上に戻ってくるパターンが最適な状態となるように補助光光源１１の点灯時間を算出する。これには、焦点距離が長い状態ではパターンの幅が狭くなるように点灯時間を短くし、焦点距離が短い状態ではパターンの幅が広くなるように点灯時間を長くする。
【００３８】
その後、ミラー１３の回動を開始するとともに、算出した点灯時間で補助光光源１１を点滅させる。
【００３９】
ここで、被写体に投光される光のパターンとレンズ３の焦点距離の関係を説明する。
【００４０】
図３は、ＡＰＳ−Ｃサイズの撮像素子２１で、３５ｍｍレンズを使用し、２ｍ先にある平面の被写体に補助光を投光した場合の光のパターンを示す図である。図において、光が当たった部分を明部Ｌと称する。一方、光が当たっていない部分は暗部Ｄと称する。なお、図においては、撮像エリア１００内全体が薄暗く写っており、補助光パターンの光の当たらない暗部Ｄは、撮像エリア１００内全体（すなわち背景）と同じ明るさとなっている。
【００４１】
ここでＡＰＳ−Ｃサイズの撮像素子２１は、水平方向２３．４ｍｍ、垂直方向１６．７ｍｍとする。そして、ＡＦエリア１０１は撮像素子２１の全体の撮影エリア１００内の中央部に設定している。
【００４２】
この場合、図３に示すように、撮像素子２１のＡＦエリア１０１内に２０本のパターン（明部Ｌ）が入るようにしている。コントラストＡＦにおいては、光のパターンの明暗差をコントラストとして識別するため、パターンの数（明暗の数）が多いほど合焦しやすくなる。
【００４３】
このコントラストＡＦを行う際に、補助光を使う場合は被写体が暗いため、撮像素子２１に入る光を長い時間捉えるようフレームレートを遅くする。たとえば１／６０や１／３０で１フレームを構成し、そのフレーム内においてコントラストを測定することになる。そして、この１／６０や１／３０で１フレーム内の時間で、複数のパターンを１回または複数回投光するように、ミラー１３を回動する。
【００４４】
この図ではＡＦエリア１０１の水平方向の範囲は約７００ｍｍであり、この中に、上記のように約２０本のパターンがある。明部Ｌの１本当たりの幅Ｗは平均２０ｍｍ程度、暗部Ｄの幅Ｗｄは明部Ｌの約７５％程度として１５ｍｍとなるようにしている。
【００４５】
スリット１２を通過した補助光光源１１からの光の幅を１ｍｍと仮定すれば、ミラー１３を傾けながら２０回分の時間、補助光光源１１をオン／オフを繰り返すことで、このような２０本のパターンが得られる。このため１回の点滅における点灯時間は、１／３０フレームに１回走査すると仮定した場合、平均０．９５ｍｓｅｃ間オン、０．７１ｍｓｅｃ間オフとすればよい。
【００４６】
また、この時のミラー１３の回動角度αは、約２０°である。ミラー１３の回動角度は、下記（１）式より求めた。
【００４７】
ミラーの回動角度α＝２×ａｒｃｔａｎ（（ＡＦエリアの水平方向の範囲／２）／被写体までの距離）    …（１）
なお、ミラー１３の回動角度αについての詳細は後述する。
【００４８】
ここで、光のパターンは、明部Ｌと暗部Ｄの幅が非周期的となるようにしている。上記のオン時間は平均値の時間であるから、このオン時間を非周期的に変更することで明部と暗部の幅が非周期的となるようにしている。たとえばオン時間を約１０〜９０％程度変動させることで、パターンの明部の幅を約１〜９０％程度変化させることができる。このオン時間の変化はランダムに行えばよい。また、あえてこのような点灯時間に変化をつけるというよりも、オン、オフのタイミングの精度が低い制御を行うことで、必然的にこのようなパターン幅の変動が起こるようにしてもよい。このようにパターンを非周期的にすることで、合焦動作時における偽検出（偽合焦）の問題を回避することができる（特許文献１および２参照）。
【００４９】
なお、オン時間御変動割合は、上記のような約約１０〜９０％に限定されるものではないが、あまりにもオン時間が短くなるように変動させると、明部の幅が細くなりすぎて、かえって明暗差が付きにくくなるので好ましくない。
【００５０】
図４は、ＡＰＳ−Ｃサイズの撮像素子２１で、２００ｍｍレンズを使用し、２ｍ先にある平面の被写体に補助光を投光した場合の光のパターンを示す図である。図４においても、光が当たった部分が明部Ｌであり、光が当たっていない部分が暗部Ｄで背景と同じ明るさである。そして、ＡＦエリア１０１は図３と同である。
【００５１】
この場合、撮影されたパターンは、ＡＦエリア１０１内において、幅が広くなってパターン（明部Ｌ）の本数が図３に比べて少なくなって、図４においては約５本となっている。なお、写っているパターンの本数は少なくなっているが、２ｍ先の平面被写体に投光されているパターンは図３と同じ大きさである。したがって、ミラー１３の回動角度も図３の場合と同じである。
【００５２】
これは、レンズ３の焦点距離が長くなったために画角が狭くなって、被写体が拡大されるため、図３においてはＡＦエリア１０１内にのみ入るように投光されたパターンが撮影エリア１００全体に入るようになっている。そして、ＡＦエリア１０１内に入るパターンの数が少なくなっている。
【００５３】
このようにＡＦエリア１０１内に入るパターン（明部Ｌ）の本数が少なくなると、コントラストを検出するための明暗差のついた部分が少なくなって合焦点を見つけ出しにくくなる。
【００５４】
そこで、本実施形態では、すでに説明したように、このようにレンズ３の焦点距離が長くなる場合には、補助光光源１１の点灯時間を短くすることとしている。
【００５５】
図５は、ＡＰＳ−Ｃサイズの撮像素子２１で、２００ｍｍレンズを使用し、２ｍ先にある平面の被写体に補助光の点滅の点灯時間を変えて投光した場合の光のパターンを示す図である。点灯時間を図３および図４の場合より短くした。なお、ミラー１３の回動角度は図３および図４の場合と同じである。
【００５６】
具体的には、補助光光源１１のオン時間を図３および図４の場合の半分の０．４７５ｍｓｅｃ、オフ時間も図３および図４の半分の約０．３６ｍｓｅｃとした。
【００５７】
このようにオン時間およびオフ時間を半分とすることで、図５に示すように、ＡＦエリア１０１内には、約１０本のパターン（明部Ｌ）を入れることができる。なお、オフ時間については変えなくてもよい。ただし、その場合、暗部Ｄの幅は、拡大されたままとなるので、多くの明部ＬをＡＦエリア１０１内に入れるためには、オン時間をさらに短くするとよい。
【００５８】
これにより、レンズ３の焦点距離が長くなった場合でも、オートフォーカス動作時に合焦できやすくすることができる。
【００５９】
なお、オン時間は変えずに、オフ時間を変化させることでも、ＡＦエリア内に入れるパターンの数を変えることができる。具体的には、オン時間はそのままで、焦点距離が長くなればオフ時間（消灯時間）を短くし、焦点距離が短くなればオフ時間（消灯時間）を長くする。
【００６０】
ただし、好ましくはオン時間を変えたほうがよい。これは、オフ時間のみを変えた場合、明部Ｌと明部Ｌの間の暗部Ｄの幅が細くなりすぎて、明部同士がくっついてしまうことがあるためである。特に、焦点距離が長くなって倍率が上がると明部Ｌが太く明るくなるが（図４参照）、明部Ｌを変えずに暗部Ｄだけを細くしてしまうと、暗部Ｄを発生させるようにごく短いオフ時間をいれても、隣接する明部同士が太くかつ明るいために明部同士がくっ付いて見えてしまう場合があるのである。そうするとパターンにおける明暗差が得られなくなってしまう。この点、オン時間を制御する場合は、オン時間が短くても、細い線状のパターンは必ず現れるし、しかも非周期的に点灯時間を変えているため、太い明部も得られるので、オートフォーカスに使用する明暗差を得やすい。
【００６１】
さらに、好ましくは、図５に示したように、オン時間（点灯時間）とオフ時間（消灯時間）の両方を変えることである。このようにすることで、レンズの焦点距離に対応した適切な本数のパターンを投光することができる。
【００６２】
ここで、ミラー１３の回動角度について説明する。
【００６３】
上述した図３〜５においては、図３に示した３５ｍｍレンズを使用した場合に、ＡＦエリア１０１の水平範囲に合わせてパターン全体を描くように回動角度αを設定している。
【００６４】
この回動角度αについては、どのような焦点距離のレンズを使用した場合でも、またどのようなＡＦエリアが設定されている場合にも、ＡＦエリア内に複数本のパターンが投光されるように設定することが好ましい。
【００６５】
たとえば、図３〜５に示した場合とは異なり、撮像素子２１内の全領域を使用してオートフォーカス動作を行う場合や、撮像素子２１内の様々な領域のどこでもオートフォーカス動作が行えるようにすることを考慮すれば、撮像素子２１内の全領域に、複数のパターンが写し取られるようにすることが好ましい。このようなパターンとすることは、非常に簡単であり、レンズ３の焦点距離に対応した画角以上の角度でミラー１３を回動させればよい。すなわち、「レンズの焦点距離に対応した画角≦ミラーの回動角度α」とすればよいのである。好ましくは「レンズの焦点距離に対応した画角＝ミラーの回動角度α」である。
【００６６】
しかし、レンズ３の焦点距離が変化するたびにミラー１３の回動角度αを変えるのでは、ミラー１３を駆動するアクチュエーター１４への信号制御が必要となる。そこで、さらに制御を単純化するためには、カメラ２に装着可能なレンズ３のうち、最も焦点距離が短いレンズ３の画角に合わせてミラー１３の回動角度を決めてしまってもよい。つまり、レンズ３の焦点距離の変化にかかわらず、ミラー１３の回動角度αは常に一定にしておくのである。
【００６７】
このようにした場合、焦点距離の長いレンズ３がカメラ２に装着されると（またはズームにより焦点距離を長くすると）、補助光パターン全体は、撮影範囲（撮影エリアの範囲）を超えた部分にまで投光されることになる。しかし、ＡＦエリア１０１内における各パターンの幅（明部及び暗部の幅）は、すでに説明したように、補助光光源１１の点灯時間を制御することで、オートフォーカス動作に必要な本数のパターンをＡＦエリア１０１内に入れることができるため何ら問題はないのである。
【００６８】
このようにミラー１３の回動角度αを一定にしてしまうと、その制御が非常に簡単なものとなる。たとえば、あらかじめドライバー１５に回動角度αとしてカメラ２に装着可能な最短焦点距離のレンズ３の画角と同じ角度を設定する。そして、ドライバー１５からミラー１３が回動角度αで反転動作するように、アクチュエーター１４に対して電圧または電流を供給する。このようにすれば、あとは制御部２３から補助光発光時に、ドライバー１５に対してミラー１３の回動動作を指令する信号を送るだけで、ミラーは一定の回動角度αで回動することになる。
【００６９】
なお、ここでカメラ２に装着可能なレンズ３とは、オートフォーカス動作を行いうるレンズでかつ補助光が有効に働く焦点距離のレンズということである。レンズ交換式のカメラは、レンズマウントが一致すればあらゆる焦点距離のレンズが装着可能であるが、こうしたレンズの中には、オートフォーカス動作しないレンズもあり、そのようなレンズにまで対応する必要はない。
【００７０】
ミラー１３の回動速度は、補助光発光時にはオートフォーカス動作に必要なコントラストの検出に係るフレームレートに合わせればよい。たとえば、すでに説明したように、１／３０秒乃至１／６０などである。しかしこれについても、制御を単純化するために、あらかじめ補助光発光におけるオートフォーカス動作に必要なフレームレートのなかで、最も早い時間に合わせてしまってもよい。上記のように、１／３０秒乃至１／６０秒のフレームレートでオートフォーカス動作を行うのであれば、そのうちのもっとも速い１／６０秒で１回、回動する（ミラー１３が一方の位置から角度αとなるまで１回角度が変化する）ように設定しておけばよい。このような回動速度の設定も、あらかじめドライバー１５にしておくことで制御が単純化できる。このような回動速度はカメラ２のオートフォーカス動作時の撮像素子２１の感度と、補助光光源１１の明るさによって決まるものである。すなわち、撮像素子２１の感度が高く、かつ、補助光光源１１が明るい場合には、フレームレートはより短くてもよいことになるので、それに合わせればよい。
【００７１】
次に、補助光光源１１の点灯時間の制御を説明する。
【００７２】
補助光光源１１の点灯時間の制御は、すでに説明したように、基本的にレンズ３の焦点距離に合わせて制御する。たとえば、レンズ交換によって単焦点レンズを交換する場合は、それらの単焦点レンズに合わせて段階的に補助光光源１１の点灯時間を変えればよい。一方、焦点距離が無段階に変化するズームレンズにおいては、その無段階の焦点距離の変化に合わせて補助光光源１１の点灯時間も無段階で変化させてもよい。しかしこれでは、補助光光源１１の点灯時間をズームレンズの焦点距離の変化に合わせて時々刻々と変化させなければならないことになる。そこで、ズームレンズにおいても、あらかじめ焦点距離の範囲を段階的に決めておいて、その範囲ごとに点灯時間（オン時間、またはオン時間とオフ時間の両方）を変えるようにしてもよい。たとえば広角域（たとえばＡＰＳ−Ｃサイズの撮像素子２１の場合に１０以上〜３０ｍｍ未満。以下カッコ内は同様）、標準域（３０ｍｍ以上〜４０ｍｍ未満）、望遠域（４０ｍｍ以上〜２００ｍｍ未満）、超望遠域（２００ｍｍ以上）などの段階に応じて点灯時間をそれぞれ決めておくのである。
【００７３】
そして制御部２３は、レンズ制御部３３から送られてきた現在の焦点距離から、どの段階の範囲かを検出して、それに応じて点灯時間を設定して補助光光源１１を点滅させる。
【００７４】
このようにすれば、単焦点レンズを交換した場合と同じ制御でズームレンズにも対応することができる。
【００７５】
以下、本実施形態の効果を説明する。
【００７６】
本実施形態は、レンズ３の焦点距離を取得して、それに応じて補助光光源１１の点滅中における点灯時間を制御するだけで、レンズ３の焦点距離に対応した適切な数の補助光パターンを投光することができる。しかも、補助光パターンは１枚のミラー１３の反射によって走査して形成しているため、装置構成が従来よりも簡単になり、コスト削減効果が高い。また、従来技術のように可動筒全体を動かすものと比較して消費電力も少なくて済む。
【００７７】
補助光光源の制御は、レンズ３の焦点距離が長くなると補助光光源１１の点灯時間（オン時間）を短くし、焦点距離が短くなると補助光光源１１の点灯時間（オン時間）を長くすることとしている。これは、レンズ３の焦点距離が長くなると画角が狭くなることにより、ＡＦエリア１０１に入るパターンの本数が減るのであるが、これを補助光光源１１の点灯時間（オン時間）を短くすることで、パターンそのものの幅を細くして、ＡＦエリア１０１に入るパターンの本数を増やして合焦しやすくすることができる。
【００７８】
また、ミラー１３の回動角度を一定にすることができるので、角度センサーなどが不要になり、この点でも、装置構成を簡略化できて一層のコスト削減効果を得ることができる。また、補助光光源１１の点灯時間を段階的に変えることで、これらの制御も簡単にすることができ、コスト削減効果を得ることができる。
【００７９】
また、点灯時間を非周期的に変えることも、点灯時間を制御するだけで容易に行うことができる。したがって、そのための特別な装置構成（たとえばアクチュエーター１４やミラー角度を検出する装置など）は不要であるので、この点でもコスト削減効果を得ることができる。
【００８０】
以上本発明を適用した実施形態を説明したが、本発明はこのような実施形態に限定されるものではない。
【００８１】
たとえば、カメラ本体２０は、レンズ交換式のものを例に説明したが、当然にレンズ交換できないズームレンズのみを装備されているカメラ２においても適用可能である。
【００８２】
また、ミラー１３の回動角度は、カメラ２に装着可能なレンズ３のうちもっとも焦点距離の短いレンズ３の画角に合わせることとしたが、任意の方向にパターンを投光できるようにしてもよい。これには、ＶＣＭや圧電素子を使用する場合はそれらの動作によってミラー１３がどの方向を向いているかを検出する角度センサーを用いて、角度センサーからの信号によりパターンを投光する向きを変更するようにすればよい。このようにした場合でも、ミラー１３を回動させるだけであるので、従来よりもコスト削減効果は見込むことができる。
【００８３】
また、実施形態では、補助光パターンとして撮像素子の水平方向に対して垂直方向に細長くなるパターンを図示したが（図３〜５）、パターンの方向は、コントラストＡＦを採用しているカメラの補助光とする場合にはどのような方向であってもよい。これは、撮像素子全体でコントラストを検出して合焦させるため、パターンの方向に依存せずに、パターンの明暗差が明瞭となるように投光できればよいためである。
【００８４】
さらに、補助光投光装置を搭載するカメラの撮像素子のサイズは、ＡＰＳ−Ｃに限定されるものではなく、様々なサイズの撮像素子に対応可能である。
【００８５】
そのほか、本発明は、特許請求の範囲に規定された構成から得られる様々な実施形態や変形形態が可能であり、それらもまた本発明の範疇であることは言うまでもない。
【符号の説明】
【００８６】
１  補助光投光装置、
２  カメラ、
３  レンズ、
１１  補助光光源、
１２  スリット、
１３  ミラー、
１４  アクチュエーター、
１５  ドライバー、
２０  カメラ本体、
２１  撮像素子、
２２  画像処理部、
２３  制御部、
３１  レンズ群、
３２  モーター、
３３  レンズ制御部、
１００  撮影エリア、
１０１  ＡＦエリア。
【図１】
2014115318.tif 000003
【図２】
2014115318.tif 000004
【図３】
2014115318.tif 000005
【図４】
2014115318.tif 000006
【図５】
2014115318.tif 000007